(57)【要約】【課題】圧力容器の応力解析に基づく強度評価に要する時間を短縮し評価精度を向上させること。【解決手段】圧力容器の三次元データを入力し、入力された三次元データと、材質データ記憶部に記憶される材質データと、解析条件記憶部に記憶される解析条件と、に基づいて、圧力容器について有限要素法を用いた熱伝導解析及び弾塑性解析を行い、解析結果に基づいて、標準化された圧力容器規格のうち三次元データによる解析結果に基づいた評価を規定した圧力容器規格を圧力容器が満足するか否か評価し、評価結果を出力する。【選択図】図１
2010182234.tif 000002
【特許請求の範囲】
【請求項１】
圧力容器の三次元データを入力する三次元データ入力部と、
前記圧力容器の材質に関する材質データを予め記憶する材質データ記憶部と、
応力解析の解析条件を予め記憶する解析条件記憶部と、
前記三次元データ入力部によって入力された前記三次元データと、前記材質データ記憶部に記憶される前記材質データと、前記解析条件記憶部に記憶される前記解析条件と、に基づいて、前記圧力容器について有限要素法を用いた熱伝導解析及び弾塑性解析を行うＦＥＭ解析部と、
前記ＦＥＭ解析部における解析結果に基づいて、標準化された圧力容器規格のうち三次元データによる解析結果に基づいた評価を規定した圧力容器規格を前記圧力容器が満足するか否か評価する評価部と、
前記評価部による評価結果を出力する出力部と、
を備える圧力容器評価装置。
【請求項２】
前記標準化された圧力容器規格は、圧力容器に対して解析による設計として規定されたものであることを特徴とする請求項１に記載の圧力容器評価装置。
【請求項３】
前記標準化された圧力容器規格は、“ＡＳＭＥ  Ｓｅｃｔｉｏｎ  ＶＩＩＩ  Ｄｉｖ．２”又は“ＥＮ  １３４４５  Ｐａｒｔ３”のいずれかであることを特徴とする請求項１又は２に記載の圧力容器評価装置。
【請求項４】
圧力容器の材質に関する材質データを予め記憶する材質データ記憶部と、応力解析の解析条件を予め記憶する解析条件記憶部と、を備える圧力容器評価装置が、圧力容器の三次元データを入力する三次元データ入力ステップと、
前記圧力容器評価装置が、前記三次元データ入力ステップによって入力された前記三次元データと、前記材質データ記憶部に記憶される前記材質データと、前記解析条件記憶部に記憶される前記解析条件と、に基づいて、前記圧力容器について有限要素法を用いた熱伝導解析及び弾塑性解析を行うＦＥＭ解析ステップと、
前記圧力容器評価装置が、前記ＦＥＭ解析ステップにおける解析結果に基づいて、標準化された圧力容器規格のうち三次元データによる解析結果に基づいた評価を規定した圧力容器規格を前記圧力容器が満足するか否か評価する評価ステップと、
前記圧力容器評価装置が、前記評価ステップによる評価結果を出力する出力ステップと、
を備える圧力容器評価方法。
【発明の詳細な説明】
【技術分野】
【０００１】
本発明は、圧力容器の応力解析・強度評価を行う圧力容器評価装置及び圧力容器評価方法に関する。
【背景技術】
【０００２】
従来から、圧力容器の応力解析に基づき強度評価は、ＡＳＭＥ（American Society of Mechanical Engineers）規格に規定された応力分類法と呼ばれる強度評価に従って行われてきた。具体的には、圧力容器の構造モデルの三次元ＣＡＤデータを二次元の軸対称モデルに変換し、変換後の二次元の軸対称モデルを用いて応力解析を行い、その解析モデルに応力評価線を設定することによって、応力評価線に応じた強度評価を行っていた（特許文献１，特許文献２参照）。
【０００３】
このようにして解析・設計された圧力容器は、従来から石油精製や化学プラントなどにおいて必須の装置として利用されている。圧力容器の利用環境は年々高温高圧の一途を辿っており、これに伴い圧力容器の構造も大型化・肉厚化し、その設計に要する時間も長期化している。そのため、圧力容器の圧力解析に基づいた強度評価に要する時間の短縮が要求されている。また、応力分類法における課題として、応力評価線の設定の仕方によって同じ構造モデルでも得られる強度評価結果が変わる可能性があった。そのため、応力評価線を用いる応力分類法とは別に、応力評価線の決め方に依存しない強度評価法の開発が望まれていた。
【先行技術文献】
【特許文献】
【０００４】
【特許文献１】特開平５−２８８６３５号公報
【特許文献２】特開２００３−１６７９２５号公報
【発明の概要】
【発明が解決しようとする課題】
【０００５】
このような要求に対し、従来は応力分類法による強度評価が適用されていたため、圧力容器全体の評価を行うためには多数の応力評価線を定義し応力評価線毎に評価を行う必要があった。そのため、応力評価線の定義の仕方によっては不要な評価処理が発生してしまうことがあり、評価に要する時間の長期化の一因となっていた。さらには、必要な応力評価線を定義し損なうことによる評価の精度低下を招くこともあった。
上記事情に鑑み、本発明は、圧力容器の応力解析に基づく強度評価に要する時間を短縮し評価精度を向上させる圧力容器評価装置及び圧力容器評価方法を提供することを目的としている。
【課題を解決するための手段】
【０００６】
［１］上記の課題を解決するため、本発明の一態様による圧力容器評価装置は、圧力容器の三次元データを入力する三次元データ入力部と、前記圧力容器の材質に関する材質データを予め記憶する材質データ記憶部と、応力解析の解析条件を予め記憶する解析条件記憶部と、前記三次元データ入力部によって入力された前記三次元データと、前記材質データ記憶部に記憶される前記材質データと、前記解析条件記憶部に記憶される前記解析条件と、に基づいて、前記圧力容器について有限要素法を用いた熱伝導解析及び弾塑性解析を行うＦＥＭ解析部と、前記ＦＥＭ解析部における解析結果に基づいて、標準化された圧力容器規格のうち三次元データによる解析結果に基づいた評価を規定した圧力容器規格を前記圧力容器が満足するか否か評価する評価部と、前記評価部による評価結果を出力する出力部と、を備える。
【０００７】
［２］また、上述した本発明の一態様による圧力容器評価装置において、前記標準化された圧力容器規格は、圧力容器に対して解析による設計として規定されたものであることを特徴とするように構成されても良い。
【０００８】
［３］また、上述した本発明の一態様による圧力容器評価装置において、前記標準化された圧力容器規格は、“ＡＳＭＥ  Ｓｅｃｔｉｏｎ  ＶＩＩＩ  Ｄｉｖ．２”又は“ＥＮ  １３４４５  Ｐａｒｔ３”のいずれかであることを特徴とするように構成されても良い。
【０００９】
［４］また、本発明の一態様による圧力容器評価方法は、圧力容器の材質に関する材質データを予め記憶する材質データ記憶部と、応力解析の解析条件を予め記憶する解析条件記憶部と、を備える圧力容器評価装置が、圧力容器の三次元データを入力する三次元データ入力ステップと、前記圧力容器評価装置が、前記三次元データ入力ステップによって入力された前記三次元データと、前記材質データ記憶部に記憶される前記材質データと、前記解析条件記憶部に記憶される前記解析条件と、に基づいて、前記圧力容器について有限要素法を用いた熱伝導解析及び弾塑性解析を行うＦＥＭ解析ステップと、前記圧力容器評価装置が、前記ＦＥＭ解析ステップにおける解析結果に基づいて、標準化された圧力容器規格のうち三次元データによる解析結果に基づいた評価を規定した圧力容器規格を前記圧力容器が満足するか否か評価する評価ステップと、前記圧力容器評価装置が、前記評価ステップによる評価結果を出力する出力ステップと、を備える。
【発明の効果】
【００１０】
本発明により、圧力容器の応力解析に基づく強度評価において、軸対称モデルへの変換や応力評価線の定義を行うことなく、三次元ＣＡＤデータをそのまま用いて応力解析を行い、その結果に基づいて強度評価を行うことが可能となる。そのため、圧力容器の強度評価に要する時間を短縮し評価精度を向上させることが可能となる。
【図面の簡単な説明】
【００１１】
【図１】圧力容器評価装置の機能構成を表す機能ブロック図である。
【図２】材質データ記憶部が記憶する材質データのうち、熱伝導解析用材質データを表す図である。
【図３】材質データ記憶部が記憶する材質データのうち、弾塑性解析用材質データを表す図である。
【図４】圧力容器評価装置の動作を表すフローチャートである。
【発明を実施するための形態】
【００１２】
図１は、圧力容器評価装置１の機能構成を表す機能ブロック図である。図示するように、圧力容器評価装置１は、三次元データ入力部１１、材質データ記憶部１２、解析条件記憶部１３、ＦＥＭ解析部１４、評価部１６、出力部１７を備える。
【００１３】
三次元データ入力部１１は、圧力容器評価装置１が行う強度評価の対称となる圧力容器の三次元データを入力する。三次元データは、ＡｕｔｏＣＡＤ（登録商標）、ＣＡＤＡＭ（登録商標）、Ｊｗ＿ｃａｄ等のＣＡＤ（Computer Aided Design）ソフトウェアを用いて作成される。このようにＣＡＤソフトウェアを用いて作成された三次元データは、ＤＸＦ（Drawing Interchange File）、ＤＷＧ、ＳＸＦ（Scadec data eXchange Format）等のファイルフォーマットによって構成される。
【００１４】
材質データ記憶部１２は、磁気ハードディスクや半導体記憶装置などの記憶装置を用いて構成され、応力容器に用いられる材料の材質に関する材質データを記憶する。材質データの詳細については後述する。
【００１５】
解析条件記憶部１３は、磁気ハードディスクや半導体記憶装置などの記憶装置を用いて構成され、ＦＥＭ解析部１４における熱応力解析及び弾塑性解析を行うに当たって必要となる全ての解析条件を記憶する。具体的には、解析条件記憶部１３は、解析対象となる圧力容器に関する拘束条件及び荷重条件（内圧、反力、温度など）などを記憶する。
【００１６】
ＦＥＭ解析部１４は、三次元データ入力部１１によって入力される三次元データと、材質データ記憶部１２に記憶される材質データと、解析条件記憶部１３に記憶される解析条件とに基づいて、有限要素法を用いた熱伝導解析及び弾塑性解析を行い、圧力容器の各部位における変形量や応力を算出する。具体的には、ＦＥＭ解析部１４は、熱伝導解析を行うことによって各時点における各要素の温度を解析し、弾塑性解析を行うことによって各時点における各要素の応力を計算する。
【００１７】
規格記憶部１５は、磁気ハードディスクや半導体記憶部などの記憶装置を用いて構成され、三次元データによる解析結果に基づいた評価を規定した圧力容器規格の内容を記憶する。この規格は、例えばＡＳＭＥ（American Society of Mechanical Engineers）規格の“Ｓｅｃｔｉｏｎ  ＶＩＩＩ（８）  Ｄｉｖ．２”や、ＥＮ（European Norm）規格の“１３４４５  Ｐａｒｔ３”である。
【００１８】
評価部１６は、ＦＥＭ解析部１４における弾塑性解析の解析結果に基づき、規格記憶部１５に記憶される標準化された圧力容器規格に従って圧力容器の評価を行い、評価対象となっている圧力容器が圧力容器規格を満足しているか否か判定する。評価部１６が行う評価は、従来の技術により実現可能である。
出力部１７は、例えば画像表示装置による表示や、プリンターによる印刷や、スピーカーによる音声出力などによって、評価部１６による評価結果を出力する。
【００１９】
図２は、材質データ記憶部１２が記憶する材質データのうち、非定常熱伝導解析に用いられる材質データ（以下、「熱伝導解析用材質データ」という）を表す図である。熱伝導解析用材質データは、所定の材料に関して、複数の温度に対応づけて、その温度の時の熱伝導率、比熱、密度を有する。図２は、材料Ｘに関する熱伝導解析用材質データを表す図である。図２の場合、例えば温度が摂氏２０度である場合の熱伝導率はλ１（Ｗ／ｍ・摂氏温度）、比熱はＣｐ１（Ｊ／摂氏温度・ｋｇ）、密度はρ１（ｋｇ／立方メートル）である。材質データ記憶部１２は、複数の材料に関する熱伝導解析用材質データを記憶しても良い。
【００２０】
図３は、材質データ記憶部１２が記憶する材質データのうち、弾塑性解析に用いられる材質データ（以下、「弾塑性解析用材質データ」という）を表す図である。弾塑性解析用材質データは、所定の材料に関して、複数の温度に対応づけて、その温度の時のヤング率、ポアソン比、線膨張係数、降伏応力を有する。図３は、材料Ｘに関する弾塑性解析用材質データを表す図である。図３の場合、例えば温度が接し２００度である場合のヤング率はＥ３（ＧＰａ）、ポアソン比はν３、線膨張係数はα３（／摂氏温度）、降伏応力はσｙ３（ＭＰａ）である。
【００２１】
図４は、圧力容器評価装置１の動作を表すフローチャートである。以下、図４を用いて圧力容器評価装置１の動作について説明する。まず、三次元データ入力部１１が、評価の対象となる圧力容器の三次元データを入力する（ステップＳ１０１）。
【００２２】
次に、ＦＥＭ解析部１４が、三次元データ入力部１１によって入力された三次元データを複数の要素に分割し、材料データ記憶部１２に記憶される熱伝導解析用材質データと、解析条件記憶部１３に記憶される解析条件とに基づいて有限要素法による熱伝導解析を実行する（ステップＳ１０２）。さらに、ＦＥＭ解析部１４が、分割後の各要素について、熱伝導解析の解析結果と、材料データ記憶部１２に記憶される弾塑性解析用材質データと、解析条件記憶部１３に記憶される解析条件とに基づいて有限要素法による弾塑性解析を実行する（ステップＳ１０３）。
【００２３】
次に、評価部１６が、ＦＥＭ解析部１４による弾塑性解析の解析結果に基づいて、評価対象となっている圧力容器の構造が、三次元データによる解析結果に基づいた評価を規定した圧力容器規格の標準化規格を満足しているか否かについて判定する（ステップＳ１０４）。
【００２４】
このように構成された圧力容器評価装置１は、従来とは異なり、三次元データを二次元データの軸対称モデルに変換することなく、三次元データを用いて熱伝導解析及び弾塑性解析を行う。そして、圧力容器評価装置１は、三次元データによる解析結果に基づいた評価を規定した圧力容器規格の標準化規格を用いることにより、弾塑性解析の解析結果に対して応力評価線を定義することなく、強度評価を行う。そのため、圧力容器の強度評価に要する時間を短縮し評価制度を向上させることが可能となる。これに伴い、強度評価の結果に基づいた疲労評価やラチェット評価の信頼性を向上させることが可能となる。
【００２５】
＜変形例＞
材質データ記憶部１２は、キーボードやマウス等の入力装置によって入力された材質データを記憶しても良いし、圧力容器評価装置１と通信可能に接続された他の情報処理装置から受信した材質データを記憶しても良いし、圧力容器評価装置１に差し込まれたＣＤ−ＲＯＭや接続された外付け補助記憶装置（ＵＳＢメモリなど）から材質データを読み出して記憶しても良い。
【００２６】
解析条件記憶部１３は、キーボードやマウス等の入力装置によって入力された解析条件を記憶しても良いし、圧力容器評価装置１と通信可能に接続された他の情報処理装置から受信した解析条件を記憶しても良いし、圧力容器評価装置１に差し込まれたＣＤ−ＲＯＭや接続された外付け補助記憶装置（ＵＳＢメモリなど）から解析条件を読み出して記憶しても良い。
【００２７】
以上、この発明の実施形態について図面を参照して詳述してきたが、具体的な構成はこの実施形態に限られるものではなく、この発明の要旨を逸脱しない範囲の設計等も含まれる。
【符号の説明】
【００２８】
１…圧力容器評価装置，  １１…三次元データ入力部，  １２…材質データ記憶部，  １３…解析条件記憶部，  １４…ＦＥＭ解析部，  １５…規格記憶部，  １６…評価部，  １７…出力部
【図１】
2010182234.tif 000003
【図２】
2010182234.tif 000004
【図３】
2010182234.tif 000005
【図４】
2010182234.tif 000006